(57)【特許請求の範囲】
【請求項１】
開口部を有する可動基板上に設けた帯電層と、対向基板に設けた対向電極とを対向するように配置した静電電気機械変換機の製造方法において、
前記可動基板に前記開口部を形成する開口部形成工程と、
前記開口部形成工程の後、前記開口部に前記可動基板の前記帯電層を形成する面よりも突出させて絶縁体で構成されるマスク部材を配置するマスク部材配置工程と、
前記マスク部材配置工程の後、前記可動基板と前記マスク部材とに囲まれた領域に薄膜となる液状の材料を塗布し、前記液状の材料を硬化させる薄膜形成工程と、
前記薄膜形成工程の後、前記マスク部材を配置した状態で、露出した前記薄膜を帯電して前記帯電層とする帯電処理工程と、
前記帯電処理工程の後、前記マスク部材を除去するマスク部材除去工程と、を有する
ことを特徴とする静電電気機械変換機の製造方法。
【請求項２】
前記薄膜形成工程は、塗布された前記液状の材料を加熱して硬化させる
ことを特徴とする請求項１に記載の静電電気機械変換機の製造方法。
【請求項３】
前記マスク部材配置工程は、前記可動基板の上側に前記マスク部材を配置している
ことを特徴とする請求項１又は請求項２に記載の静電電気機械変換機の製造方法。
【請求項４】
前記マスク部材配置工程は、前記開口部を埋めるように前記マスク部材を配置している
ことを特徴とする請求項１又は請求項２に記載の静電電気機械変換機の製造方法。
【請求項５】
前記マスク部材は、弾性体である
ことを特徴とする請求項１から請求項４のいずれか一つに記載の静電電気機械変換機の製造方法。
【請求項６】
前記マスク部材は、前記可動基板よりも撥水性が高い
ことを特徴とする請求項１から請求項５のいずれか一つに記載の静電電気機械変換機の製造方法。
【発明の詳細な説明】
【技術分野】
【０００１】
本発明は、静電電気機械変換機の製造方法に関する。
【背景技術】
【０００２】
半永久的に電荷を保持するエレクトレット材料を用いた発電機や電動機がある。エレクトレットを用いた発電機は、エレクトレット材料により構成された帯電層、及びこれと対向する対向電極とを備えており、両者の重なり面積が変化することによって生じる静電誘導を利用して発電する。このような発電装置は比較的小型で、装置自身の運動によって生じる電極の振動を電気エネルギーに変換することができるという利点がある。そのため、例えば腕時計などのように、人が身に着けたり持ち運んだりする携帯型電気機器への採用が検討されている。
【０００３】
通常、上記発電装置においては、発電効率を向上させるために、複数の帯電層が互いに間隔を空け並べて配置され、これと対向するように対向電極も複数並べて配置されている。このような構成によれば、各対向電極を各帯電層に対して相対移動させることによって、複数の対向電極から同時に電力を取り出すことができる（例えば特許文献１参照）。
【０００４】
また、上記発電機と同様に、エレクトレット材料を用いた電動機についても、可動基板に複数の帯電層が互いに間隔を空けて配置され、これと対向する位置に複数の対向電極が配置されている構成としているものもある（例えば特許文献２参照）。
【先行技術文献】
【特許文献】
【０００５】
【特許文献１】特開２０１５−１９２５７７号公報（第５頁―７頁、図１）
【特許文献２】特開２０１５−１２６５５７号公報（第４頁―６頁、図１）
【発明の概要】
【発明が解決しようとする課題】
【０００６】
上述した静電電気機械変換機を構成する複数の帯電層は、理想的には、基板上のそれぞれの帯電層の表面電位が均一であることが望ましい。したがって、帯電層を形成する際に、理想的には、基板上に均一の厚みで帯電層が形成されることが望ましい。しかしながら、開口部が存在している基板上にエレクトレット材料を塗布する際に、ディスペンス方式により単に液体状の樹脂を塗るだけでは、表面張力の影響で中心部と端部とで厚さが異なってしまう。膜厚が不均一になってしまうことにより、発電装置でそれぞれの帯電層から取り出すことのできる電力の低下や、ばらつきが生じることになる。また、電動機の可動子としてエレクトレット材料を用いた場合であっても、それぞれの帯電層が受ける駆動力の低下が生じる。さらに、帯電層が対向する対向電極から受ける垂直方向の静電気力にもばらつきが生じることになるため、動作が不安定になってしまう。
また、開口部を有する基板上のエレクトレット材料を放電によって帯電させると、エレクトレット材料がある程度まで帯電した際に、接地されている基板の開口部の側面に電荷が引き寄せられるようになってしまい、帯電の効率が低下するという問題が発生する。
【０００７】
本発明はこのような課題を考慮してなされたものであって、その目的は、開口部を有する基板上に帯電層が均一の厚みで形成され、帯電層の表面電位の高い静電電気機械変換機の製造方法を提供することである。
【課題を解決するための手段】
【０００８】
本発明の静電電気機械変換機の製造方法は、開口部を有する可動基板上に設けた帯電層と、対向基板に設けた対向電極とを対向するように配置した静電電気機械変換機の製造工程において、可動基板に開口部を形成する開口部形成工程と、開口部形成工程の後、開口部に可動基板の帯電層を形成する面よりも突出させて絶縁体で構成されるマスク部材を配置するマスク部材配置工程と、マスク部材配置工程の後、可動基板とマスク部材とに囲まれた領域に薄膜となる液状の材料を塗布し、液状の材料を硬化させる薄膜形成工程と、薄膜形成工程の後、マスク部材を配置した状態で、露出した薄膜を帯電して帯電層とする帯電処理工程と、帯電処理工程の後、マスク部材を除去するマスク部材除去工程とを有することを特徴としている。
【００１１】
薄膜形成工程は、塗布された液状の材料を加熱して硬化させることを特徴としている。
【００１３】
マスク部材配置工程は、可動基板の上側にマスク部材を配置してもよい。
【００１４】
マスク部材配置工程は、開口部を埋めるようにマスク部材を配置していることが好ましい。
【００１５】
マスク部材として、弾性体を用いることができる。
【００１６】
マスク部材は、可動基板よりも撥水性が高いことが望ましい。
【発明の効果】
【００１８】
本発明の製造方法を採用することによって、静電電気機械変換機を構成する複数の帯電層を基板上に均一の厚みで形成することが可能となり、帯電層から取り出すことのできる電力の低下や、ばらつきなどを生じさせない。また、帯電の効率が低下するという問題も解消される。
【図面の簡単な説明】
【００１９】
【図１】本実施の形態における静電電気機械変換機の構成を示す斜視図である。
【図２】本実施形態における静電電気機械変換機を示す断面図である。
【図３】本実施形態における静電電気変換機の製造方法を示す工程図である。
【図４】本実施形態における開口部形成工程を示す断面図である。
【図５】本実施形態におけるマスク部材配置工程を示す断面図である。
【図６】本実施形態における薄膜形成工程を示す断面図である。
【図７】本実施形態における薄膜形成工程を示す断面図である。
【図８】本実施形態における薄膜形成工程を示す断面図である。
【図９】本実施形態における薄膜形成工程を示す断面図である。
【図１０】本実施形態における帯電処理工程を示す断面図である。
【図１１】本実施形態におけるマスク部材除去工程を示す断面図である。
【図１２】従来の帯電処理工程を示す断面図である。
【図１３】本実施形態におけるマスク部材配置を示す断面図である。
【図１４】本実施形態における薄膜形成工程を示す断面図である。
【図１５】本実施形態における帯電処理工程を示す断面図である。
【発明を実施するための形態】
【００２０】
以下、本発明の実施の形態について、図面を参照しながら詳細に説明する。
【００２１】
図１は、本発明の一実施形態に係る静電電気機械変換機１０の概略構成を示す斜視図である。図１に示すように、静電電気機械変換機１０は可動基板１１と、複数の帯電層１２と、可動基板１１に対向するように配置された対向基板１３と、複数の対向電極１４Ａ及び１４Ｂと、回転軸１５と、を含んで構成される。
【００２２】
可動基板１１は、金属などの導電体やシリコン絶縁体で形成されており、全体として略円盤型の形をしている。可動基板１１には、その中心位置から見て放射状に並ぶ複数の開口部１７が設けられている。これらの開口部１７のそれぞれは略台形の形状をしており、その可動基板１１の外周及び中心に向けられる２辺は、可動基板１１の外周に沿って弧状に形成されている。この開口部１７によって、可動基板１１の中心と外周との間には、複数の略台形の導電体が互いに間隔を空けて放射状に並んで形成されることになる。
【００２３】
可動基板１１に形成される略台形の導電体の、対向基板１３側の面上には、帯電層１２が膜上に形成されている。この帯電層１２も、全体でみれば略台形の形状をしており、その可動基板１１の外周及び中心に向けられる２辺は、可動基板１１の外周に沿って弧状に形成されている。帯電層１２は、例えばポリテトラフルオロエチレン（ＰＴＦＥ）などのフッ素系樹脂を含んだエレクトレット材料により構成され、マイナスの電荷を保持している。なお、ここでは帯電層１２がマイナスに帯電しているものとするが、帯電層１２はプラスに帯電する材料で構成されてもよい。帯電層１２の形状、及び形成方法については、後に詳しく説明する。複数の帯電層１２は、可動基板１１上の対向基板１３側の面に沿って互いに間隔を空けて隣接するように配置されている。
【００２４】
対向基板１３は、絶縁性の高い材料で構成されており、導電性の高い金属などで構成される対向電極１４Ａ及び１４Ｂが形成されている。また、対向基板１３に配置される、それぞれの対向電極１４Ａ及び１４Ｂのパターンは、それぞれの帯電層１２及び可動基板１１の開口部１７の形状及び大きさに対応している。すなわち、対向電極１４Ａ及び１４Ｂは略台形の形状をしており、帯電層１２及び可動基板１１の開口部１７とも略同形であり、帯電層１２の数と可動基板１１の開口部１７の数との和と同数の電極が設けられている。この対向電極１４Ａ及び１４Ｂが、帯電層１２及び可動基板１１の開口部１７と同様、対向基板１３の中心から外周に向かって放射状に並んで形成されることになる。可動基板１１と対向基板１３とは互いに平行、かつ対向するように配置されており、そのため可動基板１１上の帯電層１２は対向基板１３上の対向電極１４Ａ及び１４Ｂと対向するようになっている。複数の対向電極１４Ａ及び１４Ｂは、対向基板１３上の可動基板１１側の面に沿って互いに間隔を空けて隣接するように配置されている。
【００２５】
回転軸１５は、可動基板１１及び対向基板１３に直交し、可動基板１１の中心と対向基板１３の中心を貫通するように配置されている。さらに、可動基板１１は、図１の矢印に示すように、回転軸１５を中心として回転可能に支持されている。一方、対向基板１３は、静電電気機械変換機１０の筐体に対して固定されている。
【００２６】
また、図２は、図１における静電電気機械変換機１０のＡ−Ａ線断面図を示している。図２で示すように、対向基板１３上の対向電極は、電極一つ置きに繋がっている対向電極１４Ａと、対向電極１４Ａに隣接し電極一つ置きに繋がっている対向電極１４Ｂとで構成される。この構成において、対向電極１４Ａと対向電極１４Ｂに、振幅の等しい矩形波信号を一定の周期分だけずらして入力すると、対向電極１４Ａ及び対向電極１４Ｂの極性の変化に追従するように、可動基板１１上の帯電層１２が連続的に駆動力を受け、可動基板１１を回転させることができる。
【００２７】
次に、本発明の静電電気機械変換機１０の製造方法について、図３から図１１を用いて説明する。図４から図１１は、帯電層１２を形成する工程を示す断面図であって、可動基
板１１及び帯電層１２を、可動基板１１の円周方向に沿って切った断面を示している。
【００２８】
図３は、本発明の静電電気機械変換機１０の製造方法の一例を示す工程図である。本発明の静電電気機械変換機の製造方法は、可動基板に開口部を設ける開口部形成工程Ｓ１と、開口部を設けた可動基板の開口部内にマスク部材を配置するマスク部材配置工程Ｓ２と、可動基板上に、薄膜を形成する薄膜形成工程Ｓ３と、薄膜に帯電処理を行い、薄膜を帯電層とする帯電処理工程Ｓ４と、マスク部材を除去するマスク部材除去工程Ｓ５とを有している。
【００２９】
図４を用いて、本実施形態における開口部形成工程Ｓ１を説明する。開口部形成工程は、可動基板１１に対して、例えば以下のようなエッチング処理を行って図１に示すような略台形の開口部１７を設ける。シリコンを可動基板１１の素材とした場合、まず、可動基板１１上に、フォトリソグラフィーによってレジスト１８のパターンを形成する。レジスト１８を特定のパターンで形成することにより、可動基板１１上の、開口部１７を形成する部分を除いた面をマスクする。続いて可動基板１１をフッ素系のガス（主に六フッ化硫黄）でエッチングするとともに、フッ素系のガスを用いて側壁に保護膜を生成し横方向へのエッチングを抑制する、という手順を交互に繰り返し、シリコンを深堀りすることで、図４のような開口部１７を得る（ボッシュプロセス）。開口部１７を形成した後、レジスト１８を除去する。可動基板１１としてシリコンを用いた場合は、開口部１７を形成し、レジスト１８を除去した後、熱処理によって酸化膜を形成してもよい。なお、ここではエッチング処理により開口部１７を設けることとしたが、プレス加工や放電加工や切削加工など、他の方法で実現してもよい。
【００３０】
次に、図５を用いて、本実施形態におけるマスク部材配置工程Ｓ２を説明する。開口部１７を設けた可動基板１１に対し、その開口部１７を埋めるような形状のマスク部材１６を配置する。このマスク部材１６は、弾性を持つ材質、あるいは可動基板１１よりも撥水性が高い材質で構成される。また、マスク部材１６の凸部を開口部１７よりも突出させる構造とすることが好ましい。マスク部材１６の材質がもたらす効果、及びマスク部材１６の凸部を開口部１７より突出させることによる効果については、後で詳しく説明する。なお、ここではマスク部材１６が凹凸を持つ一繋ぎの形状であることとしたが、開口部１７に対応した略台形の形状である複数のマスク部材によって開口部１７を埋めることとしてもよい。
【００３１】
続いて、図６を用いて、本実施形態における薄膜形成工程Ｓ３を説明する。可動基板１１上にディスペンサ１９を用いて、液状のエレクトレット材料２２を可動基板１１に塗布する。通常ディスペンサを用いた塗布方法では、単に一定量の液体を平面上に吐出することを目的としている。そのため塗布された液体の形状については、液体が吐出されたままの形状、すなわち表面張力により中心と端部で厚さの異なった形状となってしまう。しかしながら、本実施形態では図６に示すようにマスク部材１６の凸部が突出していることで、エレクトレット材料２２は可動基板１１とマスク部材１６とで囲まれた領域に塗布される。これによりディスペンサ１９から液状のエレクトレット材料２２を吐出した場合であっても、エレクトレット材料２２の液面が可動基板１１と平行となり、端部まで均一な厚さで塗布することができる。さらに、エレクトレット材料２２を加熱することによってエレクトレット材料２２を硬化させる。本実施形態ではエレクトレット材料２２に樹脂を用いており、可動基板１１上に塗布された樹脂を加熱により硬化させて薄膜２４を形成している。
【００３２】
薄膜形成工程Ｓ３において、エレクトレット材料２２を塗布する際にマスク部材１６が親水性か撥水性かによって図７又は図８のように薄膜２４の形状が異なってくる。図７は、マスク部材１６が親水性の場合の薄膜２４の形状を示し、図８は、マスク部材１６が撥
水性の場合の薄膜２４の形状を示している。マスク部材１６が親水性の場合、エレクトレット材料２２を塗布した際にマスク部材１６に濡れ広がりやすいため、図７に示すように薄膜２４の角部が尖った形状となってしまうが、マスク部材１６が撥水性の場合、エレクトレット材料２２を塗布した際にマスク部材１６に濡れ広がりにくくなるため、図８に示すように薄膜２４の角部が丸くなる。マスク部材１６が親水性の場合に生じる尖った形状は、対向基板１３又は対向電極１４に接触し、可動基板１１の可動を妨げる恐れがあるため、マスク部材１６としては撥水性が高い材料を使用し、薄膜２４の角部が尖った形状とならないようにしておくほうが好ましい。
【００３３】
上記説明では、マスク部材１６が可動基板１１の薄膜２４を形成する面より突出した状態で配置した場合について説明したが、図９に示すようにマスク部材１６を可動基板１１よりも撥水性が高い材質とすることで、可動基板１１の薄膜２４を形成する面とマスク部材１６の上面とを揃えた状態での液状のエレクトレット材料２２の塗布が可能となる。可動基板１１の薄膜２４を形成する面とマスク部材１６の上面とを揃えた状態で液状のエレクトレット材料２２を塗布すると、可動基板１１とマスク部材１６とは液状エレクトレット材料２２に対して濡れ性が異なるため、可動基板１１上にのみ液状のエレクトレット材料２２が濡れ広がる。そのため、ディスペンサ１９の塗布量のみの調整で薄膜２４の厚みをほぼ一定にすることが可能となる。またディスペンサ１９によりエレクトレット材料２２を塗布した後、可動基板１１を回転させて余分な液状のエレクトレット材料２２を遠心力によって除去するスピンコートにより簡便に一定の膜厚で薄膜２４を形成することも可能となる。
【００３４】
上述した薄膜形成工程Ｓ３では、薄膜２４として樹脂を用いた例を説明したが、シリコンで形成された可動基板１１の表面に加熱処理によって形成した酸化膜を薄膜２４とすることも可能である。
【００３５】
続いて、図１０を用いて、本実施形態における帯電処理工程Ｓ４を説明する。帯電処理工程Ｓ４は、可動基板１１上の薄膜２４に対し、コロナ放電を利用し針電極２０から電荷２１を打ち込み、帯電させ、薄膜２４を帯電層１２とする工程である。具体的な実施形態としては、可動基板１１と針電極２０とを電極とし、その間に高電圧を印加する。すると針電極２０の先端部においてプラズマが発生し、正イオン及び負イオンが生成される。この時、針電極２０が負極、可動基板１１が正極であれば、発生した負イオン、すなわち電荷２１が可動基板１１に向かって打ち込まれ、可動基板１１上の薄膜２４は負に帯電され、帯電層１２となる。
【００３６】
最後に、図１１を用いて、本実施形態におけるマスク部材除去工程Ｓ５を説明する。マスク部材除去工程Ｓ５は、マスク部材１６を可動基板１１の開口部１７内から取り除き、可動基板１１上に帯電層１２が形成された状態とする。図１１に示すマスク部材除去工程Ｓ５において、マスク部材１６の材質として例えばシリコン樹脂のような弾性体を使用することで、マスク部材１６の凸部は外力を与えることで収縮し、容易に取り外しが可能である。また、マスク部材１６が可動基板１１に比べ撥水性が高い材質で構成されていることとしてもよい。この場合、マスク部材１６としては、フッ素系樹脂を用いることができ、液状のエレクトレット材料２２との接触角が大きく、マスク部材１６の表面とエレクトレット材料２２との接着力は非常に弱いものとなる。そのため、液状のエレクトレット材料２２を硬化させた後も、エレクトレット材料とマスク部材１６とを、僅かな力で容易に取り外すことができる。
【００３７】
また、一般に液体の濡れ性は接触する固体の表面状態によって変化し、表面の粗さが粗くなるほど、濡れやすい面はさらに濡れやすく、濡れにくい撥水性の面はさらに濡れにくくなる。したがって、上記マスク部材１６に撥水性の材料を用いた場合に、マスク部材１
６の凸部の側面、すなわち可動基板１１の薄膜２４を形成する際に突出し、エレクトレット材料２２と接する面を粗くしておくことで、より撥水性が高まり、さらにマスク部材除去工程Ｓ５を容易にすることができる。このように、マスク部材１６が可動基板１１の薄膜２４を形成する面より突出するよう配置した場合に、マスク部材１６の凸部の側面の表面状態を粗くすることとしてもよい。
【００３８】
さらに、マスク部材１６をシリコン樹脂のような絶縁体で構成し、帯電処理工程Ｓ４をマスク部材除去工程Ｓ５の前に行うことにより、帯電層１２の帯電量を向上させることができる。
図１２は帯電処理工程Ｓ４において帯電層１２に電荷が溜まった後の電荷の移動を示している。帯電処理工程Ｓ４において、帯電層１２に電荷が溜まり帯電した後、さらに、コロナ放電によって打ち込まれる電荷は帯電した帯電層１２を避け、可動基板１１の開口部１７に面した側面に流入する。このように、可動基板１１が帯電処理工程Ｓ４において接地されていると帯電層１２に比べ可動基板１１の表面電位が高くなり、可動基板１１の方に電荷が集まりやすくなってしまう。そこで、図１０に示すように絶縁体で構成されるマスク部材１６を配置した状態で帯電処理工程Ｓ４を行う方が好ましい。つまり、可動基板１１の側面が覆われていると電荷が接地面には流入せず、帯電層１２とマスク部材１６自体に帯電する。帯電層１２だけでなくマスク部材１６も帯電するが、マスク部材１６に電荷が溜まるにつれ、帯電層１２も電荷が集まり、帯電層１２の電位が高くなる。その結果、接地面に電荷が流れ続けるよりも帯電層１２により多くの電荷が集まることになる。
このように、絶縁体で構成されるマスク部材１６で可動基板１１の表面を覆うことにより、可動基板１１への電荷の流入を防ぎ、電荷を帯電層１２に集めることで帯電層１２の電位を向上させることができる。
【００３９】
以上のように絶縁体で構成されるマスク部材１６を配置した状態で帯電処理工程Ｓ４を行うことは、開口部１７を有する可動基板１１にコロナ放電によって帯電層１２を形成する場合にエレクトレットの種類に関わらず特に有効である。そのため、樹脂のエレクトレット材料２２で帯電層１２を生成する際だけではなく、シリコンで形成された可動基板１１の表面に加熱処理によって形成した酸化膜を帯電層１２とする際の帯電処理工程Ｓ４においても、表面電位の向上が期待できる。
【００４０】
また、上記の説明では、薄膜形成工程Ｓ３の前にマスク部材配置工程Ｓ２を行い、マスク部材１６を配置したまま、薄膜形成工程Ｓ３と帯電処理工程Ｓ４とを引き続き行い、その後、マスク部材除去工程Ｓ５を行った。しかし、薄膜形成工程Ｓ３の後、マスク部材除去工程Ｓ５によりマスク部材１６を除去し、新たに帯電処理に適切なマスク材料１６を配置するマスク部材配置工程Ｓ２を帯電処理工程Ｓ４の前に行い、マスク部材１６を配置したまま帯電処理工程Ｓ４を行っても構わない。そして、帯電処理工程Ｓ４の後にマスク部材除去工程Ｓ５を行うこととしてもよい。つまり、開口部形成工程Ｓ１、マスク部材配置工程Ｓ２、薄膜形成工程Ｓ３、マスク部材除去工程Ｓ５、マスク部材配置工程Ｓ２、帯電処理工程Ｓ４、マスク部材除去工程Ｓ５の順に帯電層を形成してもよい。
【００４１】
また、この際、薄膜形成工程Ｓ３において、マスク部材１６を配置しなくても均一な薄膜形成が可能であるならば、薄膜形成工程Ｓ３の直前と直後のマスク部材配置工程Ｓ２とマスク部材除去工程Ｓ５は、省略することが可能である。
【００４２】
このように開口部１７を有する可動基板１１に対して、開口部１７を埋めるようなマスク部材１６を配置してエレクトレット材料２２を塗布し、薄膜２４を形成することによって、可動基板１１上において端部まで均一な厚さの薄膜２４を形成することができる。なお、帯電処理により薄膜２４を帯電層１２にした後、帯電層１２が保持する電荷２１を長時間維持させるため、帯電層１２表面に撥水性を有する保護膜を形成し、表面電位を維持
できる構造とすることが望ましい。
【００４３】
また、上記実施形態の変形として、マスク部材配置工程Ｓ２において、可動基板１１の帯電層１２と同じ寸法のマスク部材開口部２３を持つ略円盤状のマスク部材１６を用いることもできる。図１３は、略円盤状のマスク部材１６を用いた場合のマスク部材配置工程Ｓ２を説明する図であり、可動基板１１の上側から、開口部１７を覆うように、略円盤状のマスク部材１６を配置した断面図を示している。
略円盤状のマスク部材１６は、可動基板１１と同様に略円盤形をしており、放射状にマスク部材開口部２３を持つ略円盤状のマスク部材であって、そのマスク部材開口部２３は可動基板１１上の帯電層１２が形成される範囲と同じ寸法としている。マスク部材１６のマスク部材開口部２３は可動基板１１上の帯電層１２を形成する部分と同じ寸法にパターニングされているため、略円盤状のマスク部材１６を薄膜２４に接し開口部１７を覆うようにして可動基板１１の上に配置することができる。このように、開口部１７を凸部で埋めるのではなく、上から見た際に開口部１７が隠れ、可動基板１１の表面のみが露出するように略円盤状のマスク部材１６を可動基板１１上に配置することとしてもよい。
【００４４】
このような略円盤状のマスク部材１６の作成方法としては、アクリル板やシリコン板などを材料としてレーザー加工を行うほか、３Ｄプリンターを用いることもできる。
【００４５】
また、図１４に略円盤状のマスク部材１６を用いた薄膜形成工程Ｓ３示す。略円盤状のマスク部材１６を用いた場合であっても、開口部１７がマスク部材１６によって上から覆われており、薄膜２４を形成する可動基板１１の表面のみが露出した状態となる。そのため、上記実施形態と同様に、薄膜形成工程Ｓ３において、エレクトレット材料２２が可動基板１１とマスク部材１６とで囲まれた領域のみに塗布される。これによりディスペンサ１９から液状のエレクトレット材料２２を吐出した場合であっても、エレクトレット材料２２の液面が可動基板１１と平行となり、端部まで均一な厚さで塗布することができる。
【００４６】
また、図１５に示すように、先の実施形態と同様にマスク部材除去工程Ｓ５の前に帯電処理工程Ｓ４を行うことができる。この場合も略円盤状のマスク部材１６が可動基板１１上に開口部１７を覆うように配置されることになり、接地されている電位の高い可動基板１１の表面が絶縁体で覆われた配置となるため、帯電層１２に溜まる電荷を増やすことができる。
【００４７】
なお、マスク部材除去工程Ｓ５において取り外しを容易にするため、上記実施例と同様に略円盤状のマスク基板１６も弾性を持つ材料で構成されることが望ましい。また、略円盤状のマスク部材１６は可動基板１１よりも撥水性の高い材料で構成されてもよい。
【００４８】
以上のことから、マスク部材の素材としては、絶縁性が高く、かつ弾性を持つか撥水性の高いものを選ぶことが望ましい。あるいは、薄膜形成工程Ｓ３におけるマスクと帯電処理工程Ｓ４におけるマスクを、異なる素材で構成される別個のものとしてもよい。つまり、弾性があるか撥水性を持つ素材から構成されるマスクを薄膜形成工程Ｓ３の前に可動基板１１に配置し、その除去を薄膜形成工程Ｓ３の後に行う。その後、絶縁性の高い素材で構成されるマスクを帯電処理工程Ｓ４の前に可動基板１１に配置し、その除去を帯電処理工程Ｓ４の後に行うこととしてもよい。少なくとも帯電処理工程Ｓ４におけるマスク部材１６を絶縁体としなければ帯電層１２の帯電量の向上は見込めないため、絶縁性を持つ素材で構成されるマスク部材１６を配置した状態で帯電処理工程Ｓ４を行うことが望ましい。撥水性や弾性に優れた素材で構成されたマスク部材１６を薄膜形成工程Ｓ３の前に配置し、薄膜を形成した直後に取り除くこととしてもよい。
【００４９】
また、以上の帯電層１２の作成方法は、開口部１７を設けた基板に対し有効であるため
、上記の静電電気機械変換機１０に限らず、エレクトレット材料を用いた発電機などに用いることとしてもよい。
【００５０】
なお、本発明は上記実施形態で説明したものに限定されない。本実施形態では、帯電層１２及び対向電極１４が環状に並んで配置されている例を説明したが、これに限らず、帯電層１２及び対向電極１４が直線上に並んで配置され、対向電極１４に入力される信号によって当該直線上を往復運動することとしてもよい。また、以上の説明では可動基板１１が対向基板１３の上に配置されることとしたが、これに限らず、対向基板１３が可動基板１１の上になるような配置としてもよい。
【符号の説明】
【００５１】
１０  静電電気機械変換機
１１  可動基板
１２  帯電層
１３  対向基板
１４Ａ、１４Ｂ  対向電極
１５  回転軸
１６  マスク部材
１７  開口部
１８  レジスト
１９  ディスペンサ
２０  針電極
２１  電荷
２２  エレクトレット材料
２３  マスク部材開口部
２４  薄膜
【図１】
0006760765.tif 000002
【図２】
0006760765.tif 000003
【図３】
0006760765.tif 000004
【図４】
0006760765.tif 000005
【図５】
0006760765.tif 000006
【図６】
0006760765.tif 000007
【図７】
0006760765.tif 000008
【図８】
0006760765.tif 000009
【図９】
0006760765.tif 000010
【図１０】
0006760765.tif 000011
【図１１】
0006760765.tif 000012
【図１２】
0006760765.tif 000013
【図１３】
0006760765.tif 000014
【図１４】
0006760765.tif 000015
【図１５】
0006760765.tif 000016